(57)【要約】  Ｌ−フェリニン（２−アミノ−７−ヒドロキシ−５，５−ジメチル−４−チアヘプタン酸）を使用し、ネコが動物用トイレ内にて排泄するよう誘引し得る。本開示は、Ｌ−フェリニンが含まれるトイレ砂、Ｌ−フェリニンが含まれる動物用トイレ、トイレ砂及び／又は動物用トイレに添加し得るＬ−フェリニンが含まれる組成物、並びにＬ−フェリニンをトイレ砂及び／又は動物用トイレに添加する機器、を提供する。１つの実施形態において、Ｌ−フェリニンを、トイレ砂及び／又は動物用トイレに、少なくとも約０．２重量％のＬ−フェリニンを含む水溶液として、例えば、Ｌ−フェリニンの水溶液をボトルからスプレーすることによって、又はＬ−フェリニンの水溶液を、スポイトピペットを使用し塗布することによって、塗布し得る。【選択図】  図１
2018513690.tif 000002
【特許請求の範囲】
【請求項１】
Ｌ−フェリニンを含み、ネコの尿が含まれていないネコ用トイレ砂。
【請求項２】
クレイ、木質材、農産物、シリカゲル、及びこれらの組み合わせからなる群から選択される成分を含む、請求項１に記載のネコ用トイレ砂。
【請求項３】
前記クレイが、非膨潤性クレイ、膨潤性クレイ、及びこれらの組み合わせからなる群から選択される、請求項２に記載のネコ用トイレ砂。
【請求項４】
前記木質材が、スギ、マツ、オーク、カエデ、ユーカリ、ポプラ、ユッカ、及びこれらの組み合わせからなる群から選択される、請求項２に記載のネコ用トイレ砂。
【請求項５】
前記農産物が、ヒマワリの種、アーモンド、ピスタチオ、クルミ、ペカン、ヘーゼルナッツ、ピーナッツ、ドングリ、コムギミドリング粉、コムギのワラ、及びこれらの組み合わせからなる群から選択される、請求項２に記載のネコ用トイレ砂。
【請求項６】
Ｌ−フェリニンを含み、ネコの尿が含まれていない動物用トイレ。
【請求項７】
前記Ｌ−フェリニンのうちの少なくとも一部分が、前記動物用トイレの１つ以上の表面上に配置されている、請求項６に記載の動物用トイレ。
【請求項８】
Ｌ−フェリニンを使用して、ネコが動物用トイレ内にて排泄するよう誘引するステップ、を含む、ネコのトイレ外排泄を防止する方法。
【請求項９】
前記Ｌ−フェリニンを使用して、前記ネコが前記動物用トイレ内にて排泄するよう誘引するステップが、（ｉ）前記Ｌ−フェリニンのうちの少なくとも一部分を含む動物用トイレを、前記ネコが居住する建物内に配置するステップ、（ｉｉ）前記Ｌ−フェリニンのうちの少なくとも一部分を含むトイレ砂を、前記ネコが居住する建物内に設置した動物用トイレ内に配置するステップ、（ｉｉｉ）前記Ｌ−フェリニンのうちの少なくとも一部分を含む溶液を、前記ネコが居住する建物内に設置した動物用トイレ内のトイレ砂上に塗布するステップ、及び（ｉｖ）前記Ｌ−フェリニンのうちの少なくとも一部分を含む粉末を、前記ネコが居住する建物内に設置した動物用トイレ内のトイレ砂上に塗布するステップ、の群から選択される少なくとも１つの動作を含む、請求項８に記載の方法。
【請求項１０】
Ｌ−フェリニンを使用して、トイレ外排泄の問題点を有するネコが動物用トイレ内にて排泄するよう誘引するステップ、を含む、トイレ外排泄を治療する方法。
【請求項１１】
前記Ｌ−フェリニンを使用して、前記トイレ外排泄の問題点を有する前記ネコが前記動物用トイレ内にて排泄するよう誘引するステップが、（ｉ）前記Ｌ−フェリニンのうちの少なくとも一部分を含む動物用トイレを、前記ネコが居住する建物内に配置するステップ、（ｉｉ）前記Ｌ−フェリニンのうちの少なくとも一部分を含むトイレ砂を、前記ネコが居住する建物内に設置した動物用トイレ内に配置するステップ、（ｉｉｉ）前記Ｌ−フェリニンのうちの少なくとも一部分を含む溶液を、前記ネコが居住する建物内に設置した動物用トイレ内のトイレ砂上に塗布するステップ、及び（ｉｖ）前記Ｌ−フェリニンのうちの少なくとも一部分を含む粉末を、前記ネコが居住する建物内に設置した動物用トイレ内のトイレ砂上に塗布するステップ、の群から選択される少なくとも１つの動作を含む、請求項１０に記載の方法。
【請求項１２】
Ｌ−フェリニンを使用して、ネコを動物用トイレに誘引するステップ、を含む、ネコの下部尿路疾患の危険性を、防止する、又は低減する方法。
【請求項１３】
前記Ｌ−フェリニンを使用して、前記ネコが前記動物用トイレ内にて排泄するよう誘引するステップが、（ｉ）前記Ｌ−フェリニンのうちの少なくとも一部分を含む動物用トイレを、前記ネコが居住する建物内に配置するステップ、（ｉｉ）前記Ｌ−フェリニンのうちの少なくとも一部分を含むトイレ砂を、前記ネコが居住する建物内に設置した動物用トイレ内に配置するステップ、（ｉｉｉ）前記Ｌ−フェリニンのうちの少なくとも一部分を含む溶液を、前記ネコが居住する建物内に設置した動物用トイレ内のトイレ砂上に塗布するステップ、及び（ｉｖ）前記Ｌ−フェリニンのうちの少なくとも一部分を含む粉末を、前記ネコが居住する建物内に設置した動物用トイレ内のトイレ砂上に塗布するステップ、の群から選択される少なくとも１つの動作を含む、請求項１２に記載の方法。
【請求項１４】
前記下部尿路疾患が、尿道栓子、スツルバイト結石若しくはシュウ酸結石、突発性膀胱炎、逆流性腎症、及びこれらの組み合わせからなる群から選択される、請求項１２に記載の方法。
【請求項１５】
Ｌ−フェリニンを使用して、下部尿路疾患を有するネコが動物用トイレ内にて排泄するよう誘引するステップ、を含む、ネコの下部尿路疾患を治療する方法。
【請求項１６】
前記Ｌ−フェリニンを使用して、前記下部尿路疾患を有する前記ネコが前記動物用トイレ内にて排泄するよう誘引するステップが、（ｉ）前記Ｌ−フェリニンのうちの少なくとも一部分を含む動物用トイレを、前記ネコが居住する建物内に配置するステップ、（ｉｉ）前記Ｌ−フェリニンのうちの少なくとも一部分を含むトイレ砂を、前記ネコが居住する建物内に設置した動物用トイレ内に配置するステップ、（ｉｉｉ）前記Ｌ−フェリニンのうちの少なくとも一部分を含む溶液を、前記ネコが居住する建物内に設置した動物用トイレ内のトイレ砂上に塗布するステップ、及び（ｉｖ）前記Ｌ−フェリニンのうちの少なくとも一部分を含む粉末を、前記ネコが居住する建物内に設置した動物用トイレ内のトイレ砂上に塗布するステップ、の群から選択される少なくとも１つの動作を含む、請求項１５に記載の方法。
【請求項１７】
前記下部尿路疾患が、尿道栓子、スツルバイト結石若しくはシュウ酸結石、突発性膀胱炎、逆流性腎症、及びこれらの組み合わせからなる群から選択される、請求項１５に記載の方法。
【請求項１８】
Ｌ−フェリニンを、ネコの尿を吸収する材料、ネコの排泄からの臭気を制御する材料、及びこれらの組み合わせからなる群から選択される成分と組み合わせるステップ、を含む、ネコ用トイレ砂を製造する方法。
【請求項１９】
前記成分が、クレイ、木質材、農産物、シリカゲル、及びこれらの組み合わせからなる群から選択される、請求項１８に記載の方法。
【請求項２０】
前記クレイが、非膨潤性クレイ、膨潤性クレイ、及びこれらの組み合わせからなる群から選択される、請求項１９に記載の方法。
【請求項２１】
前記木質材が、スギ、マツ、オーク、カエデ、ユーカリ、ポプラ、ユッカ、及びこれらの組み合わせからなる群から選択される、請求項１９に記載の方法。
【請求項２２】
前記農産物が、ヒマワリの種、アーモンド、ピスタチオ、クルミ、ペカン、ヘーゼルナッツ、ピーナッツ、ドングリ、コムギミドリング粉、コムギのワラ、及びこれらの組み合わせからなる群から選択される、請求項１９に記載の方法。
【請求項２３】
Ｌ−フェリニンが含まれており、かつ、ネコ用トイレ砂又は動物用トイレのうちの少なくとも１つの上に前記Ｌ−フェリニンのうちの少なくとも一部分を塗布する構成の、機器。
【請求項２４】
スプレーボトル、小袋、スポイトピペット付容器、及びプラグイン式散布器からなる群から選択される、請求項２３に記載の機器。
【請求項２５】
（ｉ）ネコ用トイレ砂又は動物用トイレのうちの少なくとも１つである構成要素、及び（ｉｉ）Ｌ−フェリニンを含む組成物、を含むキット。
【請求項２６】
前記構成要素が含まれている第１の包装を含み、及び前記組成物が含まれている第２の包装を更に含み、並びに前記第１の包装は前記第２の包装と物理的につながっている、請求項２５に記載のキット。
【請求項２７】
機器を含む、請求項２５に記載のキットであって、前記機器は、前記組成物のうちの少なくとも一部分を含み、かつ、前記構成要素上に前記組成物の少なくとも一部分を塗布する構成である、キット。
【発明の詳細な説明】
【技術分野】
【０００１】
［背景技術］
［０００１］
関連出願の相互参照
本出願は、２０１５年４月２４日に出願された米国特許仮出願第６２／１５２，２６５号の優先権を主張するものであり、その開示の全容が参照により本明細書に組み込まれる。
【０００２】
［背景技術］
［０００２］本開示は、総じて、ネコが動物用トイレ（ｌｉｔｔｅｒ  ｂｏｘ）内にて排泄するよう誘引するための、Ｌ−フェリニンを使用する、組成物、方法、及び機器に関する。より具体的には、本開示は、Ｌ−フェリニンが含まれるトイレ砂、Ｌ−フェリニンが含まれる動物用トイレ、トイレ砂及び／又は動物用トイレに添加し得るＬ−フェリニンが含まれる組成物、並びにＬ−フェリニンをトイレ砂及び／又は動物用トイレに添加する機器、に関する。
【０００３】
［０００３］動物用トイレは、ネコが尿及び糞便の排泄のため使用するものである。動物用トイレには、尿又は糞便を受け取るネコ用トイレ砂の層が含まれている。ネコ用トイレ砂は、顆粒状及び吸収性であり、尿及び糞便がネコ用トイレ砂内にたまった後、塊の形成を促進する。塊を、典型的には、トイレ砂用スコップの使用により動物用トイレから移した後、廃棄する。
【０００４】
［０００４］家屋を便で汚すことはまた、排泄の粗相又はトイレ外排泄（「ＯＯＢ」）とも呼ばれ、ペットの飼い主にとって重要な行動面の問題点であった。家屋が便で汚れることは、ペットの飼い主にとって耐え難いものとなり得、人間とペットとの絆を弱める恐れがある。多くの場合、その状況により、ネコを収容施設へと手放すこととなる。ＯＯＢの問題点があるネコに家庭を見つけることが困難であるのは、収容施設の知るところであり、そのようなネコは安楽死させられることが多い。これに関し、ＯＯＢ排泄行動は、実際には、他のいずれの行動面の問題点及び多くのネコの疾患よりも、多くのネコを死なせることにつながる。
【０００５】
［０００５］家屋を便で汚すことへの従来の対処としては、トイレ砂を日々取り換えること、より多くの動物用トイレを追加すること、ネコを懲らしめるのを止めること、及びネコを避妊又は去勢すること（Ｏｉｍ＆Ｈｏｕｐｔ，１９８８）が挙げられる。飼い主は、これらの処理を採用して成功するのが極めてわずかであると気付いており、３７％のみが、ネコの動物用トイレ習慣における何らかの改善を報告し、更に少数のみ（２２％）が、ネコの問題行動が「治った」と報告した（Ｏｉｍ＆Ｈｏｕｐｔ，１９８８）。
【０００６】
［０００６］市場において数種の製品が、ネコを、排泄目的のためトイレ砂へ誘引すると主張しているが、そのような主張には確証がない。例えば、これらの製品は、無作為の科学的手法によって試験されておらず、又はこれらの製品は、一般的にネコを誘引し得るが、尿又は糞便の排泄の状況におけるものではない。
【０００７】
［課題を解決するための手段］
［０００７］Ｌ−フェリニン（２−アミノ−７−ヒドロキシ−５，５−ジメチル−４−チアヘプタン酸）が、イエネコ（Ｆｅｌｉｓ  ｃａｔｕｓ）を含むネコ科の数種の尿中にて同定されている（Ｈｅｎｄｒｉｋｓら、１９９５、Ｈｅｎｄｒｉｋｓら、２００４、Ｍｉｙａｚａｋｉら、２００６、Ｒｕｔｈｅｒｆｕｒｄら、２００７）。Ｌ−フェリニンはフェロモン前駆体と考えられる。フェロモンは一個体が分泌する化学物質であり、同じ種の他者の行動に影響を及ぼす。理論に束縛されるものではないが、本発明者らは、Ｌ−フェリニンがネコの化学的な疎通に関わり得ると考えている。
【０００８】
［０００８］本発明者らは、２１の提案されたネコ誘引物質の効能を、標準化した環境にて飼われている１６匹のネコにより試験する、行動面の取組みを実行した。誘引物質のうちのいくつかを、異なる用量にて試験した。試験により、ネコが１つの誘引物質により動物用トイレ内に尿及び便を排泄する選好性について、対照、すなわち同じ基材であるが誘引物質なしのものと対比して、評価した。
【０００９】
［０００９］１つの提案されたネコ誘引物質、Ｌ−フェリニンのみが、ネコの尿の排泄に顕著に選好された。選好性は０．２％で顕著であったが、０．０５％ではそうでなかったことから、効果は用量に依存していた。ネコは、０．２％のＬ−フェリニン蒸留水溶液により処理したトイレ（Ｍ＝１．７２）内に、匂いのないトイレ（Ｍ＝１．３１、ＳＥ＝０．１、Ｆ（１，４５）＝６．７６、ｐ＝０．０１）と比べ、より多い頻度にて排尿した。他の化合物は、ネコのトイレ内にての排尿の一助となると言われている化合物であっても、実際には、ネコが動物用トイレ内にて排泄するための誘引を低下させた。この効果により、トイレ外排泄の問題を更に悪化させる恐れがある。
【００１０】
［００１０］ネコが動物用トイレ内にて排泄するよう誘引することにより、排尿の頻度が増加し、次には、尿の無機質の結石形成又は結晶化の危険性が低減する。したがって、Ｌ−フェリニンを使用し、ネコの下部尿路疾患を治療し得、その危険性を防止又は低減し得る。
【００１１】
［００１１］それ故、一般的な実施形態において、本開示は、Ｌ−フェリニンを含むネコ用トイレ砂、を提供し、そのネコ用トイレ砂にはネコの尿が含まれていない。
【００１２】
［００１２］１つの実施形態において、ネコ用トイレ砂は、クレイ、木質材、農産物、シリカゲル、及びこれらの組み合わせからなる群から選択される成分を含む。クレイは、非膨潤性クレイ、膨潤性クレイ、及びこれらの組み合わせからなる群から選択し得る。木質材は、スギ（ｃｅｄａｒ）、マツ、オーク、カエデ（ｍａｐｌｅ）、ユーカリ、ポプラ（ａｓｐｅｎ）、ユッカ、及びこれらの組み合わせからなる群から選択し得る。農産物は、ヒマワリの種、アーモンド、ピスタチオ、クルミ、ペカン、ヘーゼルナッツ、ピーナッツ、ドングリ、コムギミドリング粉、コムギのワラ、及びこれらの組み合わせからなる群から選択し得る。
【００１３】
［００１３］別の実施形態において、本開示は、Ｌ−フェリニンを含む動物用トイレ、を提供し、その動物用トイレにはネコの尿が含まれていない。
【００１４】
［００１４］１つの実施形態において、Ｌ−フェリニンのうちの少なくとも一部分は、動物用トイレの１つ以上の表面上に配置されている。
【００１５】
［００１５］別の実施形態において、本開示は、ネコのトイレ外排泄を防止する方法を提供する。その方法は、Ｌ−フェリニンを使用して、ネコが動物用トイレ内にて排泄するよう誘引するステップ、を含む。Ｌ−フェリニンを使用して、ネコが動物用トイレ内にて排泄するよう誘引するステップは、（ｉ）Ｌ−フェリニンのうちの少なくとも一部分を含む動物用トイレを、ネコが居住する建物内に配置するステップ、（ｉｉ）Ｌ−フェリニンのうちの少なくとも一部分を含むトイレ砂を、ネコが居住する建物内に設置した動物用トイレ内に配置するステップ、（ｉｉｉ）Ｌ−フェリニンのうちの少なくとも一部分を含む溶液を、ネコが居住する建物内に設置した動物用トイレ内のトイレ砂上に塗布するステップ、及び（ｉｖ）Ｌ−フェリニンのうちの少なくとも一部分を含む粉末を、ネコが居住する建物内に設置した動物用トイレ内のトイレ砂上に塗布するステップ、の群から選択される少なくとも１つの動作を含み得る。
【００１６】
［００１６］別の実施形態において、本開示は、トイレ外排泄を治療する方法を提供する。その方法は、Ｌ−フェリニンを使用して、トイレ外排泄の問題点を有するネコが動物用トイレ内にて排泄するよう誘引するステップ、を含む。Ｌ−フェリニンを使用して、トイレ外排泄の問題点を有するネコが動物用トイレ内にて排泄するよう誘引するステップは、（ｉ）Ｌ−フェリニンのうちの少なくとも一部分を含む動物用トイレを、ネコが居住する建物内に配置するステップ、（ｉｉ）Ｌ−フェリニンのうちの少なくとも一部分を含むトイレ砂を、ネコが居住する建物内に設置した動物用トイレ内に配置するステップ、（ｉｉｉ）Ｌ−フェリニンのうちの少なくとも一部分を含む溶液を、ネコが居住する建物内に設置した動物用トイレ内のトイレ砂上に塗布するステップ、及び（ｉｖ）Ｌ−フェリニンのうちの少なくとも一部分を含む粉末を、ネコが居住する建物内に設置した動物用トイレ内のトイレ砂上に塗布するステップ、の群から選択される少なくとも１つの動作を含み得る。
【００１７】
［００１７］別の実施形態において、本開示は、ネコの下部尿路疾患の危険性を、防止する、又は低減する方法を提供する。その方法は、Ｌ−フェリニンを使用して、ネコが動物用トイレ内にて排泄するよう誘引するステップ、を含む。Ｌ−フェリニンを使用して、ネコが動物用トイレ内にて排泄するよう誘引するステップは、（ｉ）Ｌ−フェリニンのうちの少なくとも一部分を含む動物用トイレを、ネコが居住する建物内に配置するステップ、（ｉｉ）Ｌ−フェリニンのうちの少なくとも一部分を含むトイレ砂を、ネコが居住する建物内に設置した動物用トイレ内に配置するステップ、（ｉｉｉ）Ｌ−フェリニンのうちの少なくとも一部分を含む溶液を、ネコが居住する建物内に設置した動物用トイレ内のトイレ砂上に塗布するステップ、及び（ｉｖ）Ｌ−フェリニンのうちの少なくとも一部分を含む粉末を、ネコが居住する建物内に設置した動物用トイレ内のトイレ砂上に塗布するステップ、の群から選択される少なくとも１つの動作を含み得る。１つの実施形態において、下部尿路疾患は、尿道栓子、スツルバイト結石若しくはシュウ酸結石、突発性膀胱炎、逆流性腎症、及びこれらの組み合わせからなる群から選択される。
【００１８】
［００１８］別の実施形態において、本開示は、ネコの下部尿路疾患を治療する方法を提供する。その方法は、Ｌ−フェリニンを使用して、下部尿路疾患を有するネコが動物用トイレ内にて排泄するよう誘引するステップ、を含む。Ｌ−フェリニンを使用して、下部尿路疾患を有するネコが動物用トイレ内にて排泄するよう誘引するステップは、（ｉ）Ｌ−フェリニンのうちの少なくとも一部分を含む動物用トイレを、ネコが居住する建物内に配置するステップ、（ｉｉ）Ｌ−フェリニンのうちの少なくとも一部分を含むトイレ砂を、ネコが居住する建物内に設置した動物用トイレ内に配置するステップ、（ｉｉｉ）Ｌ−フェリニンのうちの少なくとも一部分を含む溶液を、ネコが居住する建物内に設置した動物用トイレ内のトイレ砂上に塗布するステップ、及び（ｉｖ）Ｌ−フェリニンのうちの少なくとも一部分を含む粉末を、ネコが居住する建物内に設置した動物用トイレ内のトイレ砂上に塗布するステップ、の群から選択される少なくとも１つの動作を含み得る。１つの実施形態において、下部尿路疾患は、尿道栓子、スツルバイト結石若しくはシュウ酸結石、突発性膀胱炎、逆流性腎症、及びこれらの組み合わせからなる群から選択される。
【００１９】
［００１９］別の実施形態において、本開示は、ネコ用トイレ砂を製造する方法を提示する。その方法は、Ｌ−フェリニンを、ネコの尿を吸収する材料、ネコの排泄からの臭気を制御する材料、及びこれらの組み合わせからなる群から選択される成分と組み合わせるステップ、を含む。
【００２０】
［００２０］１つの実施形態において、成分は、クレイ、木質材（ｗｏｏｄｓ）、農産物、シリカゲル、及びこれらの組み合わせからなる群から選択される。クレイは、非膨潤性クレイ、膨潤性クレイ、及びこれらの組み合わせからなる群から選択し得る。木質材は、スギ、マツ、オーク、カエデ、ユーカリ、ポプラ、ユッカ、及びこれらの組み合わせからなる群から選択し得る。農産物は、ヒマワリの種、アーモンド、ピスタチオ、クルミ、ペカン、ヘーゼルナッツ、ピーナッツ、ドングリ、コムギミドリング粉、コムギのワラ、及びこれらの組み合わせからなる群から選択し得る。
【００２１】
［００２１］別の実施形態において、本開示は、Ｌ−フェリニンが含まれており、かつ、ネコ用トイレ砂又は動物用トイレのうちの少なくとも１つの上にＬ−フェリニンのうちの少なくとも一部分を塗布する構成の、機器を提供する。機器は、スプレーボトル、小袋、スポイトピペット付容器、及びプラグイン式散布器からなる群から選択し得る。
【００２２】
［００２２］別の実施形態において、本開示は、（ｉ）ネコ用トイレ砂又は動物用トイレのうちの少なくとも１つである構成要素、及び（ｉｉ）Ｌ−フェリニンを含む組成物、を含むキット、を提供する。１つの実施形態において、キットは、構成要素が含まれている第１の包装を含み、及び組成物が含まれている第２の包装を更に含み、並びに第１の包装は第２の包装と物理的につながっている。１つの実施形態において、キットは、組成物のうちの少なくとも一部分を含み、かつ、構成要素上に組成物の少なくとも一部分を塗布する構成である、機器を含む。
【００２３】
［００２３］本開示の１つの利点は、ネコのトイレ外排泄の危険性を低減するように処方されたネコ用トイレ砂を提供することである。
【００２４】
［００２４］本開示の別の利点は、イエネコにとって魅力的であるネコ用トイレ砂を提供することにより、飼い主がネコを飼い続け、ネコを収容施設へ手放さない確率が増すことである。
【００２５】
［００２５］本開示の更なる利点は、天然化合物を使用することで、ネコを誘引し、動物用トイレを使用させることである。
【００２６】
［００２６］本開示のなおも別の利点は、収容施設からネコを新たに迎えた者などのネコの飼い主がネコの排泄行動の管理に成功する一助となる行動修正用パッケージを提供することである。
【００２７】
［００２７］本開示のより一層の別の利点は、ネコの福利及び健康上の利益を提供することである。
【００２８】
［００２８］本開示の別の利点は、ネコが、尿道栓子、スツルバイト結石若しくはシュウ酸結石、突発性膀胱炎、又は逆流性腎症のような下部尿路疾患を発症する、危険性を低減することである。
【００２９】
［００２９］本開示の更なる利点は、容易に使用し得るネコ用トイレ砂の誘引物質を提供することである。
【００３０】
［００３０］本開示のなおも別の利点は、１つ以上の表面上にネコ誘引物質を有する動物用トイレを提供することである。
【００３１】
［００３１］本開示のより一層の別の利点は、トイレ砂及び／又は動物用トイレに添加し得る組成物を提供すること、並びにそのような組成物をトイレ砂及び／又は動物用トイレに添加するように構成されている機器を提供することである。
【００３２】
［００３２］追加の特徴及び利点を本明細書に記載する。これらは、以降の発明を実施するための形態及び図面から明らかとなろう。
【図面の簡単な説明】
【００３３】
［００３３］
【図１】Ｌ−フェリニンの化学構造を示す。  ［００３４］
【図２】本明細書に開示する行動面の研究からの結果の図示である。
【００３４】
［発明を実施するための形態］
［００３５］本開示及び添付の「特許請求の範囲」において使用する場合、単数形「１つの（ａ）」、「１つの（ａｎ）」及び「その（ｔｈｅ）」は、文脈上明らかに別段の定めがない限り、複数の指示対象を含む。したがって、例えば、「１回の排泄（ａｎ  ｅｌｉｍｉｎａｔｉｏｎ）」又は「その排泄（ｔｈｅ  ｅｌｉｍｉｎａｔｉｏｎ）」についての言及は、２回以上の排泄を含む。「排泄（ｅｌｉｍｉｎａｔｉｏｎ）」という用語は、ネコの排尿又は排便を意味する。
【００３５】
［００３６］「含む（ｃｏｍｐｒｉｓｅ）」、「含む（ｃｏｍｐｒｉｓｅｓ）」、及び「含んでいる（ｃｏｍｐｒｉｓｉｎｇ）」という用語は、排他的にではなく包含的に解釈されるべきである。同様にして、用語「含む（ｉｎｃｌｕｄｅ）」、「含む（ｉｎｃｌｕｄｉｎｇ）」及び「又は（ｏｒ）」は全て、このような解釈が文脈から明確に妨げられない限りは包括的なものであると解釈される。しかしながら、本明細書において開示される機器及び組成物は、具体的には開示されていない任意の要素を欠く場合がある。したがって、「含む（ｃｏｍｐｒｉｓｉｎｇ）」という用語を用いた実施形態の開示は、特定されている構成成分「から本質的になる（ｃｏｎｓｉｓｔｉｎｇ  ｅｓｓｅｎｔｉａｌｌｙ  ｏｆ）」及び「からなる（ｃｏｎｓｉｓｔｉｎｇ  ｏｆ）」実施形態の開示を含む。同様にして、本明細書で開示される方法は、本明細書において具体的に開示されない任意のステップを含まなくてもよい。したがって、用語「を含む」を用いる実施形態の開示は、特定された工程「から本質的になる」及び「からなる」実施形態の開示を含む。本明細書で開示される全ての実施形態は、本明細書で開示される任意の別の実施形態と組み合わせることができる。
【００３６】
［００３７］「Ｘ及び／又はＹ」の文脈にて使用される用語「及び／又は」は、「Ｘ」又は「Ｙ」又は「Ｘ及びＹ」と解釈されるべきである。本明細書において使用する場合、用語「例（ｅｘａｍｐｌｅ）」及び「などの（ｓｕｃｈ  ａｓ）」は、特に、後に用語の掲載が続く場合は、単に例示的なものであり、かつ説明のためのものであり、排他的又は包括的なものであると判断すべきではない。
【００３７】
［００３８］本明細書に記載する全てのパーセンテージは、別途記載のない限り組成物の総重量によるものである。本明細書で使用するとき、「約」は、ある数値範囲の数字、例えば、参照する数字の−１０％〜＋１０％、好ましくは参照する数字の−５％〜＋５％以内、より好ましくは参照する数字の−１％〜＋１％以内、最も好ましくは参照する数字の−０．１％〜＋０．１％以内の範囲の数字を指すものと理解される。
【００３８】
［００３９］本明細書で開示される方法及び機器並びに他の進歩は、当業者により認識されるとおり変更可能であるので、特定の方法、手順、及び試薬に限定されるものではない。更に、本明細書で使用される用語は、具体的な実施形態を記載することのみを目的とするものであり、開示又は請求の範囲を制限するものではない。
【００３９】
［００４０］特に別段の定義がない限り、本明細書で用いられている全ての技術用語及び科学用語、専門用語、並びに頭字語は、本開示の分野（複数可）の当業者により、又は用語が用いられている分野（複数可）において、共通の理解がなされているという意味を有している。本明細書に記載のものと類似する又は等価の任意の組成物、方法、製品、又はその他の手法若しくは材料を使用できるが、好ましい機器、方法、製品、又はその他の手法若しくは材料を本明細書において記載する。
【００４０】
［００４１］図１は、Ｌ−フェリニン（２−アミノ−７−ヒドロキシ−５，５−ジメチル−４−チアヘプタン酸）の化学構造を示す。好ましくは、本明細書において使用するＬ−フェリニンは、ネコの尿の他の成分を含まない形態のものであり、例えば、単離したＬ−フェリニン及び／又は化学的に合成したＬ−フェリニンである。
【００４１】
［００４２］本開示の１つの態様は、Ｌ−フェリニンを含むトイレ砂である。本開示の別の態様は、Ｌ−フェリニンを含むトイレ砂が少なくとも部分的に封入された密封包装、例えば、そのようなトイレ砂が含まれている密封した箱又は密封した袋である。
【００４２】
［００４３］１つの実施形態において、トイレ砂は、水溶液を含み、Ｌ−フェリニンが、その溶液、例えば、トイレ砂上に塗布したそのような溶液の少なくとも約０．２重量％である。加えて、又はあるいは、Ｌ−フェリニンのうちの少なくとも一部分は、トイレ砂内に粉末として存在し得る。好ましい実施形態において、トイレ砂は、クロフサスグリ（ｂｌａｃｋ  ｃｕｒｒａｎｔ）、ブラックシード、イヌハッカ（ｃａｔｎｉｐ）、ネコグサ（ｃａｔ  ｇｒａｓｓ）、カモミール、ラベンダー、甘草、マタタビ、メタラクトン、３−メルカプト−３−メチルブタン−１−オール、ジャコウ、ペパーミント、マツ（例えば松葉）、ローズマリー、雄猫の尿（ｔｏｍ  ｃａｔ  ｕｒｉｎｅ）、バニリン、又は白トリュフ油の１つ以上を含むものではない。
【００４３】
［００４４］本明細書において使用する場合、「トイレ砂（ｌｉｔｔｅｒ）」という用語は、動物の尿を吸収し得る、並びに／又は動物の尿及び／若しくは便からの臭気を低減し得る、任意の物質を意味する。本開示によって提供されるＬ−フェリニンを含むトイレ砂は、好ましくは、ネコの尿が既に含まれているものではない。トイレ砂に好適な物質の非限定的な例としては、クレイ、木質材、農産物（農業副産物を含む。）、シリカゲル、及びこれらの組み合わせが挙げられる。１つの実施形態において、トイレ砂は天然の成分のみからなるため、非天然の成分が含まれていない。「天然の成分」という用語は、天然形態の物質と構造が同等である、化学的に合成した物質を包含する。
【００４４】
［００４５］好適なクレイの非限定的な例としては、非膨潤性クレイ、膨潤性クレイ、及びこれらの組み合わせが挙げられる。クレイは、天然クレイ堆積物を直接採掘することによって得たクレイでも、合成クレイでも、又はクレイ粒子の凝塊に由来するクレイ、例えば、クレイの使用による、トイレ砂若しくは他の製造プロセスによって製造したクレイ粒子の凝塊に由来するものでもよい。
【００４５】
［００４６］非膨潤性クレイとしては、カオリン、イライト、ベントリキュライト、アタパルジャイト、セピオライト、及び非膨潤性スメクタイトが挙げられる。好ましい実施形態において、非膨潤性クレイは、以下のクレイ無機質、すなわち、パリゴルスキー石−セピオライト、カオリン、ジッカイト、ナクライト、イライト、グラウコナイト、セラドン石、及びフェンジャイトが豊富である。とりわけ好ましくは、非膨潤性クレイは、クレイ無機質、Ｃａ−モンモリロナイト、カオリン、及びイライトを含む。
【００４６】
［００４７］膨潤性クレイとしては、スメクタイト、膨潤性形態のカオリン、イライト、及びバーミキュライトが挙げられる。好ましい実施形態において、膨潤性クレイに含まれるものは、ヘクトライト、バイデル石、モンモリロナイト、ノントロン石、石けん石、ソーコナイト、バーミキュライト、及びハロイサイトのうちの１つ以上である。より好ましくは、クレイは、ベントナイト、例えば、Ｎａ−モンモリロナイト（Ｎａ−ベントナイト）である。一般的に、ベントナイトは、クレイ無機質及びいくつかの非クレイ無機質構成要素の天然の組み合わせである。Ｎａ−ベントナイトは、Ｎａ−モンモリロナイトが豊富であるがまた、他のクレイ及びいくつかの非クレイ無機質構成要素を含んでもよい。様々な実施形態において、膨潤性クレイは、Ｎａ−モンモリロナイト、ヘクトライト、及びバーミキュライトを含む。
【００４７】
［００４８］組み合わせて使用する場合、非膨潤性クレイ及び膨潤性クレイを、動物用トイレ砂の形成に好適な任意の量にて混合し得る。一般的に、非膨潤性クレイ及び膨潤性クレイを、約１０〜約９０％の非膨潤性クレイ、及び約９０〜約１０％の膨潤性クレイの量にて混合し得る。
【００４８】
［００４９］好適な木質材の非限定的な例としては、スギ、マツ、オーク、カエデ、ユーカリ、ポプラ、ユッカ、及びこれらの組み合わせが挙げられる。好ましい実施形態において、木質材は、スギ、マツ、又はこれらの組み合わせを含む。様々な実施形態において、マツは、ニュージーランドパイン（Ｎｅｗ  Ｚｅａｌａｎｄ  Ｐｉｎｅ）又はサザンイエローパイン（Ｓｏｕｔｈｅｒｎ  Ｙｅｌｌｏｗ  Ｐｉｎｅ）であり、スギは、ベイスギ（Ｗｅｓｔｅｒｎ  Ｒｅｄ  Ｃｅｄａｒ）である。木質材は、動物用トイレ砂として機能するのに好適な任意の形状、例えば、木片、粒子、ペレット、木屑、又は木粉でよい。好ましい実施形態において、木質材は、スギ、マツ、又はこれらの組み合わせである。
【００４９】
［００５０］好適な農産物の非限定的な例としては、アルファルファ、トウモロコシ、トウモロコシの茎、トウモロコシ粉、オートムギの外皮、オートムギの茎、オートムギ粉、オオムギの外皮、オオムギのひき割り、オオムギの茎、オオムギ粉、コムギの外皮、コムギのわら、コムギ粉、ダイズの外皮、ダイズのひき割り、ダイズ粉、ライムギの外皮、ライムギのひき割り、ライムギのわら、ライムギ粉、イネのワラ、イネのもみ殻、モロコシのわら、モロコシの外皮、ヒマワリの種、及びこれらの組み合わせが挙げられる。いくつかの実施形態において、農産物は、タケ、レモングラス、スイッチグラス、イヌハッカ、ハナハッカ、パセリ、ローズマリー、セージ、タイム、カノコソウ根、アリッサム、キク、スイカズラ、ホップ、ラベンダー、リンゴ、ベリー、オレンジの皮、オレンジの果肉、ヒマワリの外皮、コーヒー、茶、又はこれらの組み合わせなどの植物材料を含む。他の実施形態において、農産物は、おが屑、紙、セルロース、トウモロコシの穂軸、トウモロコシの穀粒、ジスチラースドライドグレイン（ＤＤＧ）、トウモロコシのペレット、オーフのペレット、オオムギのペレット、コムギミドリング粉、ダイズのペレット、ライムギのペレット、コメの穀粒、コメのペレット、モロコシの穀粒、モロコシのペレット、又はこれらの組み合わせを含む。なおも他の実施形態において、農産物は、ヒマワリの種、アーモンド、ピスタチオ、クルミ、ペカン、ヘーゼルナッツ、ピーナッツ、ドングリ、コムギミドリング粉、コムギのワラ、又はこれらの組み合わせを含む。
【００５０】
［００５１］好ましい実施形態において、農産物は、木質材、及びトウモロコシの穂軸を含む。より好ましい実施形態において、農産物は、スギ、マツ、又はトウモロコシの穂軸を含む。
【００５１】
［００５２］本開示の更なる態様は、Ｌ−フェリニンを含む動物用トイレである。「動物用トイレ」という用語は、トイレ砂を保持し得る任意の器具、例えば、底壁及び１つ以上の側壁による入れ物、並びに／又はトイレ砂が上に配置される構成である器具、例えば、マット若しくは砂床を意味する。非限定的な例として、動物用トイレは、高さが少なくとも約６インチの側壁を有する長方形の箱でよい。本開示によって提供されるＬ−フェリニンを含む動物用トイレは、好ましくは、ネコの尿が既に含まれているものではない。本開示の別の態様は、Ｌ−フェリニンを含む動物用トイレが少なくとも部分的に封入された密封パッケージ、例えば、そのような動物用トイレが含まれている密封した箱又は密封した袋である。
【００５２】
［００５３］例えば、Ｌ−フェリニンを、動物用トイレの１つ以上の表面に塗布してもよい。１つの実施形態において、Ｌ−フェリニンを、水溶液として塗布し、Ｌ−フェリニンをその溶液の少なくとも約０．２重量％とする。Ｌ−フェリニンのうちの少なくとも一部分を、例えば室温より高温（例えば摂氏４０度（４０℃））では結晶化し室温では固体である油又はワックスのマトリクスなど、Ｌ−フェリニンと併用する材料によって、動物用トイレの１つ以上の表面に付着してよい。そのような実施形態において、Ｌフェニリンを流体条件で材料と混合し、次に得られた混合物を、１つ以上の表面に（例えばスプレーコーティングすることによって）塗布することができ、並びに次に混合物を１つ以上の表面上にて冷却及び固化することで、Ｌ−フェリニンを動物用トイレ内に配置することができ、それにより、Ｌ−フェリニンを動物用トイレの１つ以上の表面に塗布することができる。当業者に公知の物質を動物用トイレに塗布する任意の方法を使用してよく、本開示は本明細書に開示される実施例の方法によって限定されない。
【００５３】
［００５４］本開示のより一層の別の態様は、Ｌ−フェリニンが含まれており、かつ、Ｌ−フェリニンのうちの少なくとも一部分をトイレ砂及び／又は動物用トイレの上に塗布する構成の、機器である。１つの実施形態において、機器内のＬ−フェリニンは水溶液であり、Ｌ−フェリニンをその溶液の少なくとも約０．２重量％とする。加えて、又はあるいは、Ｌ−フェリニンのうちの少なくとも一部分は、粉末内にあってもよい。
【００５４】
［００５５］例えば、機器は、Ｌ−フェリニンが含まれている、Ｌ−フェリニンのうちの少なくとも一部分を、トイレ砂及び／又は動物用トイレの上にボトルの筒先から例えば使用者がボトルの部位を押圧するのに応じてスプレーする構成のスプレーボトルでよい。別の例として、機器は、Ｌ−フェリニンが含まれている小袋（例えば、小さな使い切りの袋若しくは小物袋、例えばセロハン製のもの）でもよく、それからＬ−フェリニンのうちの少なくとも一部分をトイレ砂及び／又は動物用トイレの上に注ぎ得る。より一層の別の例として、機器は、Ｌ−フェリニンが含まれている、動物用トイレに近いコンセントに差し込み得るプラグを備える、Ｌ−フェリニンのうちの少なくとも一部分の、少なくとも１週間、少なくとも２週間、少なくとも３週間、少なくとも１ケ月、又はより長い間の持続した放出を提供する構成のプラグイン式散布器でよい。更なる例として、機器は、Ｌ−フェリニンが含まれている容器でよく、スポイトピペットを使用して、例えばスポイトピペットを容器の蓋と接続して、Ｌ−フェリニンのうちの少なくとも一部分をトイレ砂及び／又は動物用トイレの上に、塗布し得る。
【００５５】
［００５６］本開示の別の態様は、人間（例えば、ネコの飼い主）がＬ−フェリニンを使用するための方法、例えば、ヒトが、本明細書に開示される１つ以上の組成物及び機器を使用するための方法である。例えば、そのような方法は、人間が、Ｌ−フェリニンを含むネコ用トイレ砂、Ｌ−フェリニンを含む動物用トイレ、又はＬ−フェリニンが含まれており、かつ、Ｌ−フェリニンのうちの少なくとも一部分をトイレ砂及び／若しくは動物用トイレの上に塗布する構成の機器、のうちの１つ以上を使用することによってもよい。
【００５６】
［００５７］そのような方法により、動物の排泄物、例えばネコの尿を管理し得、ネコのトイレ外排泄を防止若しくは治療し得、又はネコの下部尿路疾患、例えば尿道栓子、スツルバイト結石若しくはシュウ酸結石、突発性膀胱炎、若しくは逆流性腎症を治療若しくは防止し得る。１つの実施形態において、Ｌ−フェリニンを使用して、トイレ外排泄の問題点を有するネコを治療する。本明細書において使用する場合、「トイレ外排泄の問題点」を有するネコは、直近１ケ月以内に少なくとも１回、動物用トイレ外で排泄したことがある、及び１つの実施形態において、直近１週間以内に少なくとも１回、動物用トイレ外で排泄したことがある、ネコである。
【００５７】
［００５８］１つの実施形態において、ネコ用トイレ砂を製造する方法は、Ｌ−フェリニンを、ネコの尿を吸収する、及び／又はネコの排泄からの臭気を制御する成分と組み合わせるステップ、を含む。好適なトイレ砂の成分の非限定的な例は上記開示のものである。
【００５８】
［００５９］本開示のより一層の別の態様は、組成物のうちの１つ以上及び本明細書に開示される機器を含むキットである。用語「キット」は、特定される構成要素が、１つ以上の入れ物内にて、又はそれと共に物理的につながっており、製造、流通、販売、又は使用のための１つの単位として考えられることを意味している。入れ物としては、袋、箱、カートン、ボトル、任意の種類、設計若しくは材料の包装、上包装、シュリンク包装、添付された構成要素（例えば、ステープルで留められたもの、又は接着されたものなど）、又はこれらの組み合わせが挙げられるが、これらに限定されない。単一の包装は、特定される構成要素が含まれている１つ以上の入れ物でもよく、及び物理的につながっている１つ以上の入れ物でもよく、そのことにより、製造、流通、販売、又は使用のための１つの単位と考えられる。
【００５９】
［００６０］例えば、そのようなキットは、Ｌ−フェリニンを含むネコ用トイレ砂、Ｌ−フェリニンを含む動物用トイレ、又はＬ−フェリニンが含まれており、かつ、Ｌ−フェリニンのうちの少なくとも一部分をトイレ砂及び／若しくは動物用トイレの上に塗布する構成の、機器のうちの１つ以上を含んでもよい。１つの実施形態において、キットは、（ｉ）ネコ用トイレ砂、及び（ｉｉ）Ｌ−フェリニンが含まれており、かつ、Ｌ−フェリニンのうちの少なくとも一部分をネコ用トイレ砂上に塗布する構成の機器、を含む。別の実施形態において、キットは、（ｉ）動物用トイレ、並びに（ｉｉ）Ｌ−フェリニンが含まれており、かつ、Ｌ−フェリニンのうちの少なくとも一部分を動物用トイレ及び／又は動物用トイレ内のネコ用トイレ砂の上に塗布する構成の、機器を含む。別の実施形態において、キットは、（ｉ）Ｌ−フェリニンが含まれており、かつ、Ｌ−フェリニンのうちの少なくとも一部分を動物用トイレ及び／又は動物用トイレ内のネコ用トイレ砂の上に塗布する構成の、機器、並びに（ｉｉ）機器を使用することで、Ｌ−フェリニンのうちの少なくとも一部分を動物用トイレ及び／又は動物用トイレ内のネコ用トイレ砂の上に塗布するための指示書、を含む。１つの実施形態において、キットを、行動修正用パッケージとして提供し、収容施設からネコを新たに迎えた者などのネコの飼い主の一助とし得る。
【００６０】
［００６１］［実施例］
［００６２］実施例によって非限定的に、以下の非限定的な行動面の研究を、Ｌ−フェリニンをトイレ砂内におけるネコ誘引物質として使用することで、トイレ外排泄を防止する技術思想のものとして例示する。
【００６１】
［００６３］目的
［００６４］取組みの目的は、ネコ誘引物質の見込みがあるもののリストを作り、ネコ誘引物質の見込みがあるものの各々を試験し、誘引物質を動物用トイレに添加した際に、ネコの排泄行動に正の効果を及ぼすか、判定することである。同様に、取組みにより、動物用トイレ内に置いたネコ忌避物質の、ネコの排泄行動への影響を試験した。匂いのないトイレ砂を対照として使用した。
【００６２】
［００６５］方法
［００６６］ネコ誘引物質及び忌避物質の見込みがあるもののリストを編集した。また、科学文献及び一般の文献、又は様々なオンラインのペットのフォーラムに報告されている、誘引若しくは忌避の性質がある見込みのある、一連の芳香性物質もリストに含めた。研究により、これらの物質がネコを排泄の状況において実際に誘引し得るか、試験した。全ての物質を、ネコの安全性について選別した後、試験した。
【００６３】
［００６７］１６匹のネコが研究に関わった。ネコは１歳超、５０／５０の性別配分とした。全てのネコを予め試験しておき、確かに副次的な偏りがないものとした。研究には４日間の試験である選好性試験を使用し、そこでは、２つの異なる製品が含まれる２つの動物用トイレを、一対比較法（「Ａ−Ｂ−Ｂ−Ａ」設計）にて試験用ネコに供した。尿及び便のトイレ内における存在及び場所を、日々記録する。試験の間、ネコを小屋内にて個々に飼う。全ての小屋を同等とし、床面積が約５×５フィート、高さが１０フィートのものとした。全ての小屋を、同じ温度、及び１時間当たり容積の１２倍前後の同じ風量のものとした。小屋の垂直方向の空間、ハンモック、給餌及び給水用領域、遊具、を使用するための棚、並びに４面全ての上に自然光による窓により、豊かな環境にした。
【００６４】
［００６８］液体又はスプレーを試験する際、蒸留水を対照として使用した。蒸留水を使用し、必要に応じて物質を希釈した。粉末を試験する際は、対照を使用しなかった。物質を、トイレ砂に日々塗布した。いくつかの場合、試験を、フード付き及びフードなしの動物用トイレにより行った。両種のトイレを使用し、トイレ上にフードを使用することにより、添加剤の撤布を制御することについて、差異が生じるかを観察した。分散分析を使用し、匂いありのトイレと匂いなしのトイレとの、排便及び排尿行為の差異について試験した。
【００６５】
［００６９］試験した物質及び結果
［００７０］クロフサスグリの油又は果汁：クロフサスグリ（Ｒｉｂｅｓ  ｎｉｇｒｕｍ）は、灌木であり、成長するとその果実を、とりわけ果汁、ジャム、油、及び香料用に使用する。花及び実は、特徴的な「ネコの小水」臭を有する。ネコは、クロフサスグリの茂みの上、又は隣に排尿するものと報告されている。
【００６６】
［００７１］１ｍＬのクロフサスグリの種油（１％希釈液）によるネコ用トイレ砂を試験した。ネコは、匂いありのトイレ（Ｍ＝０．７５）内には、匂いなしのトイレ（Ｍ＝１．２８、ＳＥ＝０．１２、Ｆ（１，４５）＝１０．５、ｐ＝０．００２）と比べ、より少ない頻度にて排便した。匂いありのトイレ（Ｍ＝１．５）と匂いなしのトイレ（Ｍ＝１．４４、ＳＥ＝０．１３、Ｆ（１，４５）＝０．１２、ｐ＝０．７３）とでは、排尿行為に差異がなかった。
【００６７】
［００７２］１ｍＬのクロフサスグリの種油（１０％希釈液）によるネコ用トイレ砂を試験した。ネコは、匂いありのトイレ（Ｍ＝０．５９）内には、匂いなしのトイレ（Ｍ＝１．３、ＳＥ＝０．１３、Ｆ（１，４５）＝１６．１６、ｐ＝０．０００２）と比べ、より少ない頻度にて排便した。ネコは、匂いありのトイレ（Ｍ＝１．０３）内には、匂いなしのトイレ（Ｍ＝１．５、ＳＥ＝０．１３、Ｆ（１，４５）＝６．４５、ｐ＝０．０１）と比べ、より少ない頻度にて排尿した。
【００６８】
［００７３］１ｍＬのクロフサスグリの果汁（１０％希釈液）によるネコ用トイレ砂を試験した。匂いありのトイレ（Ｍ＝１．１２）と匂いなしのトイレ（Ｍ＝１．０９、ＳＥ＝０．１３、Ｆ（１，４５）＝０．０３、ｐ＝０．８７）とでは、排便行為に差異がなかった。匂いありのトイレ（Ｍ＝１．６６）と匂いなしのトイレ（Ｍ＝１．５、ＳＥ＝０．１１、Ｆ（１，４５）＝０．７３、ｐ＝０．４）とでは、排尿行為に差異がなかった。
【００６９】
［００７４］ブラックシード油：ブラックシード（Ｎｉｇｅｌｌａ  ｓａｔｉｖａ）は、一年草であり、従来の医療システムにおいて通常的に使用されている。この植物は、南欧、北アフリカ、及び南西アジア原産である。種及びその油は、複数の病気の治療の一環となる。また、種を、香味料添加剤として食品にも使用する。
【００７０】
［００７５］１ｍＬのブラックシード油（１％希釈液）によるネコ用トイレ砂を試験した。匂いありのトイレ（Ｍ＝１．０）と匂いなしのトイレ（Ｍ＝０．９４、ＳＥ＝０．１３、Ｆ（１，４５）＝０．１１、ｐ＝０．７４）とでは、排便行為に差異がなかった。匂いありのトイレ（Ｍ＝１．５３）と匂いなしのトイレ（Ｍ＝１．３１、ＳＥ＝０．１２、Ｆ（１，４５）＝１．７６、ｐ＝０．１９）とでは、排尿行為に差異がなかった。
【００７１】
［００７６］１ｍＬのブラックシード油（１０％希釈液）によるネコ用トイレ砂を試験した。ネコは、匂いありのトイレ（Ｍ＝０．４７）内には、匂いなしのトイレ（Ｍ＝１．３１、ＳＥ＝０．１１、Ｆ（１，４５）＝２８．２６、ｐ＜０．０００１）と比べ、より少ない頻度にて排便した。匂いありのトイレ（Ｍ＝１．０３）と匂いなしのトイレ（Ｍ＝１．３４、ＳＥ＝０．１２、Ｆ（１，４５）＝３．２２、ｐ＝０．０８）とでは、排尿行為に差異がなかった。
【００７２】
［００７７］イヌハッカ：イヌハッカの名は、植物ネペタ・カタリア（Ｎｅｐｅｔａ  ｃａｔａｒｉａ）からきている。これは、通常の栽培園芸植物であり、生鮮、乾燥、又は油の形態で使用されている。イヌハッカは、いくつかのネコには非常に魅力的なものに見えるが、全てのネコがイヌハッカに反応するものではない（約２０％は反応しない。）。イヌハッカ中に見出された有効成分は、ネペタラクトンである。
【００７３】
［００７８］１ｍＬのイヌハッカ油（０．０１％希釈液）によるネコ用トイレ砂を試験した。匂いありのトイレ（Ｍ＝０．８７）と匂いなしのトイレ（Ｍ＝１．０９、ＳＥ＝０．１６、Ｆ（１，４５）＝０．９２、ｐ＝０．３４）とでは、排便行為に差異がなかった。匂いありのトイレ（Ｍ＝１．３４）と匂いなしのトイレ（Ｍ＝１．５６、ＳＥ＝０．１３、Ｆ（１，４５）＝１．３９、ｐ＝０．２４）とでは、排尿行為に差異がなかった。
【００７４】
［００７９］Ｋｏｎｇ（登録商標）Ｎａｔｕｒａｌ  Ｃａｔｎｉｐにより３回スプレーしたネコ用トイレ砂を試験した（この試験に３２匹のネコを使用）。ネコは、イヌハッカによりスプレーしたトイレ（Ｍ＝０．８７）内には、匂いなしのトイレ（Ｍ＝１．８、ＳＥ＝０．１３、Ｆ（１，９０）＝２４．１６、ｐ＜０．００１）と比べ、より少ない頻度にて排泄した。ネコは、イヌハッカによりスプレーしたトイレ（Ｍ＝１．３９）内には、匂いなしのトイレ（Ｍ＝２．９４、ＳＥ＝０．１３、Ｆ（１，９０）＝７８．３２、ｐ＜０．００１）と比べ、より少ない頻度にて排泄した。
【００７５】
［００８０］ネコグサ：「ネコグサ」は、多くの場合、ネコの飼い主が花瓶にて栽培する。多くのネコがこれを食するのを楽しみにしているものと思われる。カモガヤ（Ｄａｃｔｙｌｉｔｉｓ  ｇｌｏｍｅｒａｔａ）、オートムギ（Ａｖｅｎａ  ｓａｔｉｖａ）、及びコムギ（Ｔｒｉｔｉｃｕｍ  ａｅｓｔｉｖｕｍ）などの数種の植物が、通常「ネコグサ」と呼ばれている。この取組みにて試験した「ネコグサ」は、穀物オオムギ（Ｈｏｒｄｅｕｍ  ｖｕｌｇａｒｅ  Ｌ．ｖａｒｉｇａｔｅ）である。
【００７６】
［００８１］試験には、フード付きとフードなしの両方の動物用トイレを使用したが、結果は、フード付きトイレとフードなしトイレとの差異がなかったため、データを統合分析（Ｎ＝３２）した。
【００７７】
［００８２］大さじ１／４杯の粉末にしたネコグサによるネコ用トイレ砂を試験した。ネコは、匂いありのトイレ（Ｍ＝０．２７）内には、匂いなしのトイレ（Ｍ＝１．６４、ＳＥ＝０．０７、Ｆ（１，９３）＝１８２．８９、ｐ＜０．０００１）と比べ、より少ない頻度にて排便した。ネコは、匂いありのトイレ（Ｍ＝０．７７）内には、匂いなしのトイレ（Ｍ＝１．７８、ＳＥ＝０．０８、Ｆ（１，９３）＝７４．４６、ｐ＜０．０００１）と比べ、より少ない頻度にて排尿した。
【００７８】
［００８３］大さじ１／２杯の粉末にしたネコグサによるネコ用トイレ砂を試験した。ネコは、匂いありのトイレ（Ｍ＝０．４４）内には、匂いなしのトイレ（Ｍ＝１．５、ＳＥ＝０．０８、Ｆ（１，９３）＝８１．３、ｐ＜０．０００１）と比べ、より少ない頻度にて排便した。ネコは、匂いありのトイレ（Ｍ＝０．８）内には、匂いなしのトイレ（Ｍ＝１．７２、ＳＥ＝０．０８、Ｆ（１，９３）＝５９．７７、ｐ＜０．０００１）と比べ、より少ない頻度にて排尿した。
【００７９】
［００８４］大さじ１杯の粉末にしたネコグサによるネコ用トイレ砂を試験した。ネコは、匂いありのトイレ（Ｍ＝０．４７）内には、匂いなしのトイレ（Ｍ＝１．３４、ＳＥ＝０．０８、Ｆ（１，９３）＝５２．４９、ｐ＜０．０００１）と比べ、より少ない頻度にて排便した。ネコは、匂いありのトイレ（Ｍ＝０．７５）内には、匂いなしのトイレ（Ｍ＝１．８１、ＳＥ＝０．０７、Ｆ（１，９３）＝１０９．９３、ｐ＜０．０００１）と比べ、より少ない頻度にて排尿した。
【００８０】
［００８５］カモミール：カモミール（Ｍａｔｒｉｃａｒｉａ  ｃｈａｍｏｍｉｌｌａ）は、南欧及び東欧原産の一年草である。カモミールは、民間療法及び伝統療法に通常的に使用される医療用植物である。加えて、この植物の油は、香料、化粧料、アロマセラピー、及び食品産業において、使用される。
【００８１】
［００８６］１ｍＬのカモミールの天然エキス（１０％希釈液）によるネコ用トイレ砂を試験した。匂いありのトイレ（Ｍ＝１．２８）と匂いなしのトイレ（Ｍ＝１．１２、ＳＥ＝０．１６、Ｆ（１，４５）＝０．４８、ｐ＝０．４９）とでは、排便行為に差異がなかった。匂いありのトイレ（Ｍ＝１．３７）と匂いなしのトイレ（Ｍ＝１．５３、ＳＥ＝０．１３、Ｆ（１，４５）＝０．７２、ｐ＝０．４）とでは、排尿行為に差異がなかった。
【００８２】
［００８７］Ｄｒ．Ｅｌｓｅｙ’ｓ（登録商標）Ｕｌｔｒａ  Ｌｉｔｔｅｒ  Ａｔｔｒａｃｔａｎｔ：製造業者の告知は以下である。
【００８３】
「Ｐｒｅｃｉｏｕｓ  Ｃａｔ  Ｕｌｔｒａ  Ｌｉｔｔｅｒ  Ａｔｔｒａｃｔａｎｔ  Ａｄｄｉｔｉｖｅは、香気の放出によって、ネコ及び子猫が動物用トイレを使用するよう、自然に誘引する作用を有する。多くのネコが、飼い主所有の動物用トイレに早く順応しないばかりに、捨てられるか、又は虐待されている。この製品は、現状では動物用トイレを使用していないネコのため設計されている。Ｐｒｅｃｉｏｕｓ  Ｃａｔ  Ｕｌｔｒａ  Ｌｉｔｔｅｒ  Ａｔｔｒａｃｔａｎｔのみが、臨床試験され、消費者に証明された解決手段を提供するトイレ砂の誘引物質である。」。
【００８４】
［００８８］７オンスのこの物質によるネコ用トイレ砂を試験した。誘引物質ありのトイレ（Ｍ＝１．０）と誘引物質なしのトイレ（Ｍ＝１．２２、ＳＥ＝０．１４、Ｆ（１，４５）＝１．３、ｐ＝０．２６）とでは、排便行為に差異がなかった。ネコは、誘引物質ありのトイレ（Ｍ＝１．５）内には、誘引物質なしのトイレ（Ｍ＝１．８４、ＳＥ＝０．０９、Ｆ（１，４５）＝７．５３、ｐ＝０．００９）と比べ、より少ない頻度にて排尿した。
【００８５】
［００８９］Ｆｅｌｉｗａｙ（登録商標）：この物質は、合成フェリンフェロモンスプレーであり、トイレ外排尿を低減するため市販されている。Ｆｅｌｉｗａｙ（登録商標）を環境に導入することは、ネコをくつろがせることにより動物用トイレを使用する気にさせる一助となり得るものの、Ｆｅｌｉｗａｙ（登録商標）をトイレ砂へ直接塗布することは、実際にはネコがトイレを使用するのを躊躇させる恐れがある。この製品を、ネコが排泄していた箇所にスプレーすることにより、その箇所の便での汚れはその先には低減することが、報告されている。製造業者の告知は以下である。
【００８６】
「Ｆｅｌｉｗａｙは、フェリンフェイシャルフェロモンの合成複製物であり、それは、ネコが縄張りに安全と安心用に目印を付けるため使用しているものである。ネコの天然のフェイシャルフェロモンを真似ることによって、Ｆｅｌｉｗａｙは、ネコの地域的環境において親しまれ安心される状態を得ている。結果として、Ｆｅｌｉｗａｙを使用すると、ネコが困難な状況に立ち向かう間、癒し、及び元気付ける一助になり得、並びに、環境変化によって引き起こされるストレスを防止又は低減する一助になり得る。」。
【００８７】
［００９０］この物質の３回のスプレーによるネコ用トイレ砂を試験した。Ｆｅｌｉｗａｙ（登録商標）によりスプレーしたトイレ（Ｍ＝０．８４）と匂いなしのトイレ（Ｍ＝１．１９、ＳＥ＝０．１４、Ｆ（１，４５）＝３．２５、ｐ＝０．０７）との比較では、排便行為の回数に差異がなかった。ネコは、Ｆｅｌｉｗａｙ（登録商標）によりスプレーしたトイレ（Ｍ＝１．１９）内には、匂いなしのトイレ（Ｍ＝１．５６、ＳＥ＝０．１、Ｆ（１，４５）＝６．５５、ｐ＝０．０１）と比べ、より少ない頻度にて排尿した。
【００８８】
［００９１］ラベンダー：ラベンダー（Ｌａｖａｎｄｕｌａ  ｓｐ．）は、通常に成長する園芸植物であり、ネコを忌避すると考えられている。しかし、幾人かのネコの飼い主は、その者らのネコがラベンダーに誘引され、イヌハッカと同様の程度に反応すると報告している。
【００８９】
［００９２］１ｍＬのラベンダーの天然エキス（１０％希釈液）によるネコ用トイレ砂を試験した。匂いありのトイレ（Ｍ＝１．０）と匂いなしのトイレ（Ｍ＝０．７８、ＳＥ＝０．１４、Ｆ（１，４５）＝１．２８、ｐ＝０．２６）とでは、排便行為の回数に差異がなかった。匂いありのトイレ（Ｍ＝１．５３）と匂いなしのトイレ（Ｍ＝１．５９、ＳＥ＝０．１２、Ｆ（１，４５）＝０．１５、ｐ＝０．７）とでは、排尿行為に差異がなかった。
【００９０】
［００９３］Ｌ−フェリニン：Ｌ−フェリニン（２−アミノ−７−ヒドロキシ−５，５−ジメチル−４−チアヘプタン酸）は、イエネコ（Ｆｅｌｉｓ  ｃａｔｕｓ）を含むネコ科の数種の尿中にて同定されている。Ｌ−フェリニンはフェロモン前駆体と考えられる。
【００９１】
［００９４］１ｍＬのＬ−フェリニン（０．０５％希釈液）によるネコ用トイレ砂を試験した。匂いありのトイレ（Ｍ＝１．１６）と匂いなしのトイレ（Ｍ＝１．１、ＳＥ＝０．１４、Ｆ（１，４５）＝０．２３、ｐ＝０．６３）とでは、排便行為の回数に差異がなかった。匂いありのトイレ（Ｍ＝１．４１）と匂いなしのトイレ（Ｍ＝１．６６、ＳＥ＝０．１２、Ｆ（１，４５）＝２．２５、ｐ＝０．１４）とでは、排尿行為に差異がなかった。
【００９２】
［００９５］１ｍＬのＬ−フェリニン（０．２０％希釈液）によるネコ用トイレ砂を試験した。匂いありのトイレ（Ｍ＝１．０３）と匂いなしのトイレ（Ｍ＝０．９１、ＳＥ＝０．１３、Ｆ（１，４５）＝０．４６、ｐ＝０．５）とでは、排便行為の回数に差異がなかった。ネコは、Ｌ−フェリニン（Ｍ＝１．７２）により処理したトイレ内に、匂いのないトイレ（Ｍ＝１．３１、ＳＥ＝０．１、Ｆ（１，４５）＝６．７６、ｐ＝０．０１）と比べ、より多い頻度にて排尿した。
【００９３】
［００９６］甘草：甘草自体、又は他の化合物との組み合わせは、野生動物（例えば、ボブキャット、アライグマ、マスクラット、シカ）を誘引するためのおびき寄せ物質として公知である。加えて、幾人かのネコの飼い主は、その者らのネコが甘草の香気に誘引されることを報告している。
【００９４】
［００９７］１ｍＬの甘草（１０％希釈液）によるネコ用トイレ砂を試験した。匂いありのトイレ（Ｍ＝１．１２）と匂いなしのトイレ（Ｍ＝１．４１、ＳＥ＝０．１３、Ｆ（１，４５）＝２．３７、ｐ＝０．１３）とでは、排便行為の回数に差異がなかった。匂いありのトイレ（Ｍ＝１．４４）と匂いなしのトイレ（Ｍ＝１．４７、ＳＥ＝０．１２、Ｆ（１，４５）＝０．０３、ｐ＝０．８５）とでは、排尿行為に差異がなかった。
【００９５】
［００９８］マタタビ：マタタビ（Ａｃｔｉｎｉｄｉａ  ｐｏｌｙｇａｍａ）はまた、木天蓼とも呼ばれ、中国及び日本産のブドウである。ネコはその葉に誘引され、そのネコへの効果は、イヌハッカのそれと同様であると報告されている。
【００９６】
［００９９］この産物を、フード付きとフードなしの両方の動物用トイレを使用し試験したが、フード付きトイレとフードなしトイレとの試験の差異がなく、データを統合分析（Ｎ＝３２）した。しかし、フード付き動物用トイレの試験についてデータのうち３日分のみが入手可能であった。そこで、両方の試験についてのデータの統合を可能とするため、排便行為及び排尿行為の平均回数を（行為の合計回数に代えて）分析に使用した。
【００９７】
［０１００］大さじ１杯のマタタビによるネコ用トイレ砂を試験した。ネコは、マタタビによるトイレ（Ｍ＝０．２２）内には、添加剤なしのトイレ（Ｍ＝０．６９、ＳＥ＝０．０４、Ｆ（１，９３）＝５９．８８、ｐ＜０．０００１）と比べ、より少ない頻度にて排泄した。ネコは、マタタビによるトイレ（Ｍ＝０．４）内には、添加剤なしのトイレ（Ｍ＝０．８７、ＳＥ＝０．０４、Ｆ（１，９３）＝６４．６２、ｐ＜０．０００１）と比べ、より少ない頻度にて排尿した。
【００９８】
［０１０１］メタラクトン：メンタラクトン、又はミントラクトンは、草本のミントの芳香を有する。メンタラクトンの名は、メンタフォリア（Ｍｅｎｔｈａ  ｃｏｒｄｉｆｏｌｉａ  Ｏｐｉｚ）の葉からきている。ミント科のいくつかの種は、ネコを誘引することが公知である。
【００９９】
［０１０２］１ｍＬのメンタラクトン（１％希釈液）によるネコ用トイレ砂を試験した。匂いありのトイレ（Ｍ＝０．８４）と匂いなしのトイレ（Ｍ＝１．１２、ＳＥ＝０．１４、Ｆ（１，４５）＝０．１９１、ｐ＝０．１７）とでは、排便行為の回数に差異がなかった。匂いありのトイレ（Ｍ＝１．５３）と匂いなしのトイレ（Ｍ＝１．５、ＳＥ＝０．１２、Ｆ（１，４５）＝０．０４、ｐ＝０．８５）とでは、排尿行為に差異がなかった。
【０１００】
［０１０３］ＭＭＢ：３−メルカプト−３−メチルブタン−１−オール（ＭＭＢ）は、ネコの尿中のフェニリンの分解生成物であり、ネコのフェロモンと推定されている。したがって、ＭＭＢは、ネコ誘引物質として作用し得る。
【０１０１】
［０１０４］１ｍＬのＭＭＢ（１％希釈液）によるネコ用トイレ砂を試験した。匂いありのトイレ（Ｍ＝０．８４）と匂いなしのトイレ（Ｍ＝１．１６、ＳＥ＝０．１３、Ｆ（１，４５）＝２．６９、ｐ＝０．１１）とでは、排便行為の回数に差異がなかった。ネコは、ＭＭＢによりスプレーしたトイレ（Ｍ＝１．２２）内には、対照のトイレ（Ｍ＝１．６９、ＳＥ＝０．１１、Ｆ（１，４５）＝８．６２、ｐ＝０．００５）と比べ、より少ない頻度にて排尿した。
【０１０２】
［０１０５］ジャコウ油香料：ジャコウは、香料中の通常的な成分である。ジャコウの芳香はネコに魅力的なものになり得ると考えられている。多くの野生のネコ及び野良猫用おびき寄せ物質は、当然のネコ誘引物質として天然ジャコウを含んでいる。
【０１０３】
［０１０６］ジャコウ油香料の３回のスプレーによるネコ用トイレ砂を試験した。匂いありのトイレ（Ｍ＝０．９７）と匂いなしのトイレ（Ｍ＝１．２２、ＳＥ＝０．１４、Ｆ（１，４５）＝１．６１、ｐ＝０．２１）とでは、排便行為の回数に差異がなかった。ネコは、匂いありのトイレ（Ｍ＝１．３１）内には、対照のトイレ（Ｍ＝１．６２、ＳＥ＝０．１１、Ｆ（１，４５）＝４．２９、ｐ＝０．０４）と比べ、より少ない頻度にて排尿した。
【０１０４】
［０１０７］Ｃａｌｖｉｎ  Ｋｌｅｉｎ（登録商標）Ｏｂｓｅｓｓｉｏｎ（登録商標）、男性用オーデコロン：野生の大型ネコ科動物は、このオーデコロンに誘引され、多くの場合、動物園内にてエンリッチメントツール（ｅｎｒｉｃｈｍｅｎｔ  ｔｏｏｌ）として使用されている。この試験により、イエネコもまたこの香りに誘引され得るか、及び社会的／探索的状況において報告されている誘引を排泄の状況に転じ得るか、について考察した。
【０１０５】
［０１０８］１回のスプレーによるネコ用トイレ砂を試験した。ネコは、Ｏｂｓｅｓｓｉｏｎ（登録商標）によりスプレーしたトイレ（Ｍ＝０．８７）内には、対照のトイレ（Ｍ＝１．２５、ＳＥ＝０．１３、Ｆ（１，４５）＝４．５８、ｐ＝０．０３）と比べ、より少ない頻度にて排便した。ネコは、Ｏｂｓｅｓｓｉｏｎ（登録商標）によりスプレーしたトイレ（Ｍ＝１．２５）内には、対照のトイレ（Ｍ＝１．５９、ＳＥ＝０．１４、Ｆ（１，４５）＝５．０２、ｐ＝０．０３）と比べ、より少ない頻度にて排尿した。
【０１０６】
［０１０９］３回のスプレーによるネコ用トイレ砂を試験した。ネコは、Ｏｂｓｅｓｓｉｏｎ（登録商標）によりスプレーしたトイレ（Ｍ＝０．５３）内には、対照のトイレ（Ｍ＝１．４１、ＳＥ＝０．１３、Ｆ（１，４５）＝２４．０、ｐ＜０．００１）と比べ、より少ない頻度にて排便した。ネコは、Ｏｂｓｅｓｓｉｏｎ（登録商標）によりスプレーしたトイレ（Ｍ＝１．１６）内には、対照のトイレ（Ｍ＝１．６６、ＳＥ＝０．１３、Ｆ（１，４５）＝７．７１、ｐ＜０．００１）と比べ、より少ない頻度にて排尿した。
【０１０７】
［０１１０］ペパーミント：ペパーミント（Ｍｅｎｔｈａ  ｐｉｐｅｒｉｔａ  Ｌ）はイヌハッカと関係があり、ネコを誘引することが公知の植物である。上述のとおり、裏付けに乏しい証拠には、ネコはミント科の数種の植物に誘引され得ることが示唆されている。
【０１０８】
［０１１１］１ｍＬのペパーミント（１０％希釈液）によるネコ用トイレ砂を試験した。匂いありのトイレ（Ｍ＝０．９１）と匂いなしのトイレ（Ｍ＝１．１２、ＳＥ＝０．１４、Ｆ（１，４５）＝１．１５、ｐ＝０．２９）との比較では、排便行為の回数に差異がなかった。匂いありのトイレ（Ｍ＝１．４４）と匂いなしのトイレ（Ｍ＝１．４１、ＳＥ＝０．１２、Ｆ（１，４５）＝０．０４、ｐ＝０．８５）とでは、排尿行為に差異がなかった。
【０１０９】
［０１１２］松葉油：ネコは、マツの香りのする領域内にて排泄する選好性を示すことが、多数のマツ由来トイレ砂製品が市販されていることから、推測される。他方、多くのネコの人気ウェブサイトは、ネコが嫌う臭気として、マツをリストに挙げている。
【０１１０】
［０１１３］３滴の精製松葉油によるネコ用トイレ砂を試験した。ネコは、松葉油によるトイレ（Ｍ＝０．３７）内には、匂いなしのトイレ（Ｍ＝１．４１、ＳＥ＝０．１１、Ｆ（１，４５）＝３７．７３、ｐ＜０．００１）と比べ、より少ない頻度にて排便した。ネコは、松葉油によるトイレ（Ｍ＝１．０）内には、匂いなしのトイレ（Ｍ＝１．６６、ＳＥ＝０．１１、Ｆ（１，４５）＝１７．９３、ｐ＜０．００１）と比べ、より少ない頻度にて排尿した。
【０１１１】
［０１１４］ローズマリー：ローズマリー（Ｒｏｓｍａｒｉｎｕｓ  ｏｆｆｉｃｉｎａｌｉｓ）は、通常に成長する園芸植物であり、ネコを忌避すると考えられる。
【０１１２】
［０１１５］１ｍＬのローズマリー（１０％希釈液）によるネコ用トイレ砂を試験した。匂いありのトイレ（Ｍ＝１．１３）と匂いなしのトイレ（Ｍ＝１．０３、ＳＥ＝０．１４、Ｆ（１，４２）＝０．２５、ｐ＝０．６２）との比較では、排便行為の回数に差異がなかった。匂いありのトイレ（Ｍ＝１．５７）と匂いなしのトイレ（Ｍ＝１．６３、ＳＥ＝０．１、Ｆ（１，４２）＝０．２、ｐ＝０．６５）とでは、排尿行為に差異がなかった。
【０１１３】
［０１１６］雄猫の尿：研究によれば、雄猫の尿を使用しおびき寄せ物質として、野良猫をワナに誘引してワナにかけ得ることが、報告されている。イオウが、強い特有の雄猫の尿臭の原因とされる。１つの研究により、雌雄両方が、排尿のためのしゃがんだ姿勢から放たれた雄猫の尿を嗅ぎ、それを、スプレーしたもの又はマーキングしたものから、識別していることが見出された。
【０１１４】
［０１１７］１ｍＬの雄猫の尿（去勢していない雄から採取し、終夜冷蔵し、全部使用）によるネコ用トイレ砂を試験した。動向とは逆に、匂いありのトイレ（Ｍ＝０．７２）と匂いなしのトイレ（Ｍ＝１．０９、ＳＥ＝０．１３、Ｆ（１，４５）＝３．９６、ｐ＝０．０５２）とでは、排便行為の頻度に差異がなかった。ネコは、匂いありのトイレ（Ｍ＝１．１９）内には、匂いなしのトイレ（Ｍ＝１．６６、ＳＥ＝０．１３、Ｆ（１，４５）＝６．５８、ｐ＝０．０１）と比べ、より少ない頻度にて排尿した。
【０１１５】
［０１１８］バニリン：バニリン自体、又は他の化合物との組み合わせは、狩猟者が野生動物（例えば、アライグマ、マスクラット、シカ）を誘引するためのおびき寄せ物質として使用される。ネコの飼い主からの裏付けに乏しい説明には、その者らのネコがバニラに誘引されることが記載されている。
【０１１６】
［０１１９］１ｍＬのバニリン（１０％希釈液）によるネコ用トイレ砂を試験した。ネコは、匂いありのトイレ（Ｍ＝０．７５）内には、匂いなしのトイレ（Ｍ＝１．２５、ＳＥ＝０．１３、Ｆ（１，４５）＝６．８６、ｐ＜０．０１）と比べ、より少ない頻度にて排便した。匂いありのトイレ（Ｍ＝１．４１）と匂いなしのトイレ（Ｍ＝１．６２、ＳＥ＝０．１、Ｆ（１，４５）＝１．９１、ｐ＝１．７４）とでは、排尿行為に差異がなかった。
【０１１７】
［０１２０］白トリュフ油：嗜好性の内部調査によれば、白トリュフ油はネコが嫌うものと見られる。しかし、他者の検討によれば、いくつかのネコはトリュフ油の餌を吟味し得ることが示唆されている。
【０１１８】
［０１２１］１滴の精製白トリュフ油によるネコ用トイレ砂を試験した。ネコは、白トリュフ油によるトイレ（Ｍ＝０．５６）内には、匂いなしのトイレ（Ｍ＝１．３１、ＳＥ＝０．１１、Ｆ（１，４５）＝２１．８２、ｐ＜０．００１）と比べ、より少ない頻度にて排便した。白トリュフ油によるトイレ（Ｍ＝１．２５）と匂いなしのトイレ（Ｍ＝１．４７、ＳＥ＝０．１２、Ｆ（１，４５）＝１．５３、ｐ＝０．２２）とでは、排尿行為の頻度に差異がなかった。
【０１１９】
［０１２２］結論
［０１２３］図２中の表に、得られた結果をまとめる。「誘引物質」の列中、「＋」の符号は、試験した物質が誘引性のものと評価されたこと、及び「−」の符号は、物質が忌避性のものと評価されたことを示す。「↓」の符号は、ネコが、匂いありの動物用トイレ内に、匂いなしの動物用トイレと比べ、より少ない頻度にて排泄したことを示し、「↑」の符号は、ネコが、匂いありの動物用トイレ内に、匂いなしの動物用トイレと比べ、より多い頻度にて排泄したことを示し、及び「＝」の符号は、匂いありの動物用トイレと匂いなしの動物用トイレとで、統計的有意差がなかったことを示す。
【０１２０】
［０１２４］ネコにとって誘引性又は忌避性のものと考えられる２１の物質を試験し、いくつかの物質を異なる強度にて試験した。合計２９の試験を行った。
【０１２１】
［０１２５］Ｌ−フェリニンのみが、ネコによる動物用トイレの使用増加につながる物質であった。ネコは、Ｌ−フェリニンによる匂いのあるトイレ内に、匂いのないトイレと比べ、より多い頻度にて排尿した。このことは、０．２０％の濃度にてのみ真であった。排尿行為のためのトイレ使用の増加にもかかわらず、Ｌ−フェリニンは、排便のためのトイレ使用に影響を及ぼさなかった。この効果は、より低濃度（０．０５％）では、減少し、重要性が強調され、誘引物質の強度レベルがその有効性を引き出し得るものであった。
【０１２２】
［０１２６］試験した２６の物質／強度のうち、１２は処理したトイレ内にてのネコの排便が減少し、１４は処理したトイレ内にてのネコの排尿の減少につながった。６つの化合物は、試験した濃度にて排泄行動に影響を及ぼさなかった。これらの結果により、これらの物質が他の状況においていくつかのネコを誘引、又は忌避するものの、この誘引／忌避は常にトイレ砂の状況に適用されるとは限らなかった。ネコがこれらの物質に誘引され、動物用トイレを吟味し得た場合（測定せず。）であっても、ネコがトイレ内に排泄するには至らなかった。これにちょうど合う例はイヌハッカである。多くのネコがイヌハッカに誘引され、それに強い行動応答（こする、転がる、鳴く、走るなど）を示した。しかし、この誘引は動物用トイレ使用の増加には転じなかった。
【０１２３】
［０１２７］忌避の性質と推定される３つの物質を試験した。白トリュフ油のみにより、匂いありのトイレ内にて、匂いなしのトイレと比べ、排便の頻度が減少した。排尿の頻度には影響を及ぼさなかった。試験した他の２つの忌避物質は影響を及ぼさなかった。忌避物質による匂いありのトイレは、匂いなしのトイレと同頻度にて使用された。
【０１２４】
［０１２８］この取組みの結果により、Ｌ−フェリニン以外の誘引物質には、動物用トイレをより魅力あるものとしその使用を増加させる能力がないことが示される。他の状況（例えば、遊び、探索）においてネコを誘引し得る物質が、ネコが動物用トイレを使用するよう、誘引するというものではない。実際に、この取組みにて実施した試験のおよそ半数において、ネコは匂いなしのトイレ砂を選好した。
【０１２５】
［０１２９］本明細書に記載された、本好ましい実施形態に対する様々な変更及び修正が、当業者には明らかであることを理解されたい。このような変更及び修正は、本発明の主題の主旨及び範囲から逸脱することなく、かつ意図される利点を損なうことなく、行うことができる。したがって、このような変更及び修正は、添付の特許請求の範囲に包含されることが意図される。
【図１】
2018513690.tif 000003
【図２】
2018513690.tif 000004
【国際調査報告】
2018513690.tif 000005
2018513690.tif 000006
2018513690.tif 000007
2018513690.tif 000008